(57)【要約】  【課題】上方に開口する袋状のホルダ本体と、前記ホルダ本体の開口を隠蔽可能な蓋体とを有するクリアホルダにおいて、ホルダ本体内部に重量物を挿入した状態で紐を用いて壁に掛けた際に、蓋体がホルダ本体から外れてしまう不具合の発生や、紐がホルダ本体内部に挿入した絵画や写真等と干渉して絵画や写真等が損傷する不具合の発生を防ぐ。  【解決手段】上方に開口する袋状のホルダ本体１と、前記ホルダ本体１の開口を隠蔽可能な蓋体２とを具備するクリアホルダＣに、前記ホルダ本体１に設けられて該ホルダ本体１から切り起こすことが可能であるとともに紐を挿通可能な紐挿通孔３ａを有する切り起こし部２と、前記蓋体２に設けられ前記切り起こし部３を挿通可能な貫通孔４とをさらに具備させる。  【選択図】図１
2007008135.tif 000002
【特許請求の範囲】
【請求項１】
上方に開口する袋状のホルダ本体と、前記ホルダ本体の開口を隠蔽可能な蓋体と、前記ホルダ本体に設けられて該ホルダ本体から切り起こすことが可能であるとともに紐を挿通可能な紐挿通孔を有する切り起こし部と、前記蓋体に設けられ紐又は前記切り起こし部を挿通可能な貫通孔とを具備することを特徴とするクリアホルダ。
【請求項２】
前記蓋体により前記ホルダ本体の開口を隠蔽した状態で前記貫通孔に前記切り起こし部を挿通可能であることを特徴とする請求項１記載のクリアホルダ。
【請求項３】
前記ホルダ本体がそれぞれ樹脂により形成した表表紙部及び裏表紙部を有するとともに、これら表表紙部及び裏表紙部を熱接着していることを特徴とする請求項１又は２記載のクリアホルダ。
【請求項４】
全体を樹脂により形成していることを特徴とする請求項１、２又は３記載のクリアホルダ。
【請求項５】
１枚のシート材を利用して全体を形成していることを特徴とする請求項１、２、３又は４記載のクリアホルダ。
【請求項６】
スクラップブッキングに利用可能にすべく全体を透明に構成していることを特徴とする請求項１、２、３、４又は５記載のクリアホルダ。
【請求項７】
蓋体の先端に設けた係合部とホルダ本体に設けた被係合部とを係合させることにより蓋体をホルダ本体に係止し前記ホルダ本体の開口を隠蔽可能な蓋体係止部を形成しているとともに、前記係合部を折り返してホルダ本体の一部を前記係合部と前記蓋体の他の部分との間で挟持可能にしていることを特徴とする請求項１、２、３、４、５又は６記載のクリアホルダ。
【発明の詳細な説明】
【技術分野】
【０００１】
本発明は、紐を挿通した状態で壁掛け可能に構成したクリアホルダに関する。
【背景技術】
【０００２】
従来、内部に例えば絵画や写真等を挿入可能であるとともに、開口部を隠蔽する蓋体を有し、さらに紐を挿通した状態で壁掛け可能に構成したクリアホルダが種々考えられている。（例えば、特許文献１を参照。）
【特許文献１】意匠登録第１１１７８２７号公報
【発明の開示】
【発明が解決しようとする課題】
【０００３】
しかして、特許文献１記載の構成では、蓋体に紐を挿通可能な挿通孔を設けるようにしているので、ホルダ本体内部に重量物を挿入した状態で紐を用いて壁に掛けると、蓋体は紐により支持される一方、ホルダ本体は紐により支持されていないので、蓋体がホルダ本体から外れてしまう不具合が発生しうる。
【０００４】
また、特許文献１記載の構成では、挿通孔を挿通させた紐は蓋体を通過してホルダ本体内部に位置するので、紐がホルダ本体内部に挿入した絵画や写真等と干渉して絵画や写真等が損傷する不具合も発生しうる。
【０００５】
本発明は、このような課題を解決すべく構成するものである。
【課題を解決するための手段】
【０００６】
すなわち本発明に係るクリアホルダは、上方に開口する袋状のホルダ本体と、前記ホルダ本体の開口を隠蔽可能な蓋体と、前記ホルダ本体に設けられて該ホルダ本体から切り起こすことが可能であるとともに紐を挿通可能な紐挿通孔を有する切り起こし部と、前記蓋体に設けられ紐又は前記切り起こし部を挿通可能な貫通孔とを具備することを特徴とする。
【０００７】
このようなものであれば、前記切り起こし部をホルダ本体から切り起こしておき、紐を前記切り起こし部の紐挿通孔に挿通させることにより紐をホルダ本体の外側に位置させ、このようにホルダ本体の外側に位置させた紐を用いて壁に掛けるようにすることができる。従って、ホルダ本体内部に重量物を挿入した状態で紐を用いて壁に掛けた際に、紐は蓋体だけでなくホルダ本体を支持するので、従来の構成における蓋体がホルダ本体から外れてしまう不具合を解消できる。さらに、前述したように紐をホルダ本体の外側に導き出すようにできるので、紐がホルダ本体内部に挿入した絵画や写真等と干渉して絵画や写真等が損傷する不具合も解消できる。
【０００８】
このようなクリアホルダへの紐の挿通作業を容易に行うことができるようにするための態様として、前記蓋体により前記ホルダ本体の開口を隠蔽した状態で前記貫通孔に前記切り起こし部を挿通可能であるものが挙げられる。このようなものであれば、先に前記ホルダ本体の開口を隠蔽してから前記切り起こし部を切り起こして前記蓋体の貫通孔を通過させ、そののち紐を挿通させる手順を採用できるからである。
【０００９】
より効果的にホルダ本体に挿入したものが落下する不具合の発生を防ぐことができるようにするための態様として、前記ホルダ本体がそれぞれ樹脂により形成した表表紙部及び裏表紙部を有するとともに、これら表表紙部及び裏表紙部を熱接着しているものが挙げられる。このようなものであれば、表表紙部と裏表紙部との接着に接着剤を用いないので、ホルダ本体内部に重量物を挿入した状態で表表紙部と裏表紙部とを接着している接着剤が剥がれてしまうことは起こりえないからである。
【００１０】
このようなクリアホルダの製造コストを抑えることができる構成として、全体を樹脂により形成しているものが挙げられる。
【００１１】
また、このようなクリアホルダの部品点数を少なくできる構成として、１枚のシート材を利用して全体を形成しているものが挙げられる。
【００１２】
このようなクリアホルダを壁掛けする態様に好適な態様として、スクラップブッキングに利用可能にすべく全体を透明に構成しているものが挙げられる。全体を透明に構成していることから、ホルダ本体の開口内部に挿入した内容物を外部から観察させる用途により好適に用いることができるからである。
【００１３】
さらに、蓋体がホルダ本体から離間してホルダ本体の開口内部が露出する不具合の発生を効果的に防ぐことができるようにするための態様として、蓋体の先端に設けた係合部とホルダ本体に設けた被係合部とを係合させることにより蓋体をホルダ本体に係止し前記ホルダ本体の開口を隠蔽可能な蓋体係止部を形成しているとともに、前記係合部を折り返してホルダ本体の一部を前記係合部と前記蓋体の他の部分との間で挟持可能にしているものが挙げられる。
【００１４】
なお、本発明において、「クリアホルダ」とは、少なくともホルダ本体の一部に透明ないし半透明な部位である透明部を有し、又はホルダ本体の一部に貫通窓部を有し、ホルダ本体の開口内部に挿入した内容物を外部から視認可能な構成を有するホルダ全般を示す概念である。
【発明の効果】
【００１５】
本発明に係るクリアホルダは、ホルダ本体内部に重量物を挿入した状態で紐を用いて壁に掛けても、紐を前記ホルダ本体に設けた切り起こし部の紐挿通孔に挿通させ、紐が蓋体だけでなくホルダ本体をも支持するようにできるので、従来の構成における蓋体がホルダ本体から外れてしまう不具合を解消できる。さらに、切り起こし部をホルダ本体に設け、紐挿通孔をこの切り起こし部に設けているので、紐をホルダ本体の外側に導き出すようにでき、従って紐がホルダ本体内部に挿入した絵画や写真等と干渉して絵画や写真等が損傷する不具合も解消できる。
【発明を実施するための最良の形態】
【００１６】
以下、本発明の一実施形態を、図面を参照して説明する。
【００１７】
本実施形態に係るクリアホルダＣは、図１に概略的に示すように、上方に開口する袋状のホルダ本体１と、前記ホルダ本体１の開口を隠蔽可能な蓋体２とを具備する。本実施形態では、これらホルダ本体１及び蓋体２を全て図２に示すような１枚の透明な樹脂製シート材Ｓを利用して形成しているとともに、このクリアホルダＣを、スクラップブッキングに利用可能にすべく、その全体を透明に構成している。
【００１８】
前記ホルダ本体１は、表面を形成するシート状の表表紙部１１と、裏面を形成する裏シート状の裏表紙部１２とを有し、これらを正面視重合させて上方に開口した袋状に形成している。また、このホルダ本体１は、正面視、１辺の長さ寸法が略Ａ４サイズ用紙の長辺の長さ寸法より少し大きい略正方形状をなす。さらに詳述すると、前記表表紙部１１と裏表紙部１２とは、前記樹脂製シート材Ｓを屈曲させて形成している。すなわち、図２に示す第１の折り曲げ線Ｌ１で前記樹脂製シート材Ｓを折り曲げ、この第１の折り曲げ線Ｌ１をこれら表表紙部１１及び裏表紙部１２の下辺としている。また、前記表表紙部１１の両側縁からは、接着舌部１１１を側方に延伸して設けているとともに、この接着舌部１１１を第２の折り曲げ線Ｌ２、Ｌ２で折り返して裏表紙部１２に重合させた状態でこの接着舌部１１１を裏表紙部１２に熱接着することにより、このホルダ本体１を上方に開口した袋状に形成している。前記シート材Ｓを前記第１、第２の折り曲げ線Ｌ１、Ｌ２、Ｌ２で折り曲げ、前記接着舌部１１１を裏表紙部１２に熱接着した状態の斜視図及び正面図を図３及び図４にそれぞれ示す。なお、ホルダ本体１のサイズ及び形状はもちろん上述したものに限らず、任意に設定してよい。
【００１９】
一方、蓋体２は、本実施形態では前記ホルダ本体１の表表紙部１１の上端から連接していて、前記裏表紙部１２に正面視重合可能に形成している。具体的には、前記シート材Ｓを、第３の折り曲げ線Ｌ３で折り曲げ、この第３の折り曲げ線Ｌ３をこの蓋体２と前記ホルダ本体１との境界としている。さらに本実施形態では、蓋体２と前記ホルダ本体１との境界近傍の強度を増すべく上辺近傍部を熱接着している。前記図３及び図４に示す状態から、第３の折り曲げ線Ｌ３で折り曲げ、上辺近傍を熱接着した状態の斜視図及び正面図を図５及び図６にそれぞれ示す。この蓋体２の先端部には係合部２１を突出させて設けている。一方、前記ホルダ本体１の裏表紙部１２の上端近傍には、この蓋体２を前記裏表紙部１２に重合させた状態で前記係合部２１の基端に対応する位置に、この係合部２１を挿入可能に前記被係合部１ａを形成している。そして、この蓋体２を前記裏表紙部１２に正面視重合させた状態で前記係合部２１と前記被係合部１ａとを係合させることにより前記ホルダ本体１の開口を隠蔽可能に構成している。すなわち、前記係合部２１及び前記被係合部１ａは、係合することによって蓋体２をホルダ本体１に係止し、ホルダ本体１の開口内部を隠蔽する蓋体係止部として機能する。
【００２０】
しかして本実施形態では、前記ホルダ本体１に設けられ紐Ｒを挿通可能な紐挿通孔３ａを有する切り起こし部３と、前記蓋体２に設けられ前記切り起こし部３ａを挿通可能な貫通孔４とを具備する。
【００２１】
具体的には、前記切り起こし部３は、前記ホルダ本体１の裏表紙部１２の上端部近傍で前記被係合部１ａより上方の位置に左右１対に設けているとともに、その上縁部及び側縁部の前記ホルダ本体１との間の部位に切り起こし溝３ｍを設けていて、この切り起こし部３の基端Ｌ４を前記図１に示すように折り曲げることにより前記ホルダ本体１から切り起こし可能にしている。また、この切り起こし部３の中央部には、前記紐挿通孔３ａを設けている。
【００２２】
前記貫通孔４は、本実施形態では、前記蓋体２により前記ホルダ本体１の開口を隠蔽した状態で前記切り起こし部３を挿通可能である。具体的には、前記蓋体２を前記裏表紙部１２に重合させた状態で、前記切り起こし部３の全体を外部に露出可能な大きさの左右１対に設けた孔である。
【００２３】
このようなクリアホルダＣを紐Ｒを利用して壁に掛けるには、このクリアホルダＣに以下のようにして紐Ｒを挿通させる。
【００２４】
まず、蓋体２の係合部２１とホルダ本体１の被係合部１ａとを係合させ、ホルダ本体１の開口を隠蔽する。
【００２５】
次いで、前記切り起こし部３の基端Ｌ４を折り曲げ、前記貫通孔４を通過させてこの切り起こし部３をホルダ本体１から切り起こす。
【００２６】
それから、図７の線Ｌ５に示すように、一方の切り起こし部３の紐挿通孔３ａに、紐Ｒを表表紙部１１側から裏表紙部１２側に向かう方向に挿通させ、さらに、他方の切り起こし部３の紐挿通孔３ａに、紐Ｒを裏表紙部１２側から表表紙部１１側に向かう方向に挿通させる。
【００２７】
そして、紐Ｒの両端を結ぶと、前記図１に示したような状態となり、このクリアホルダＣを壁に掛けることが可能な状態になる。
【００２８】
以上に述べたクリアホルダＣの構成により、次のような効果が得られる。
【００２９】
すなわち、前記図１に示した状態に紐Ｒを挿通させて壁に掛けると、紐Ｒを蓋体に設けた紐挿通孔に挿通させる従来の態様と異なり、紐Ｒは蓋体２だけでなくホルダ本体１をも支持するので、従来の構成における蓋体２がホルダ本体１から外れてしまう不具合を解消できる。また、上述したような手順で紐Ｒを前記切り起こし部３の紐挿通孔３ａに挿通させることにより紐Ｒをホルダ本体１の外側に位置させることができ、従って、紐Ｒがホルダ本体１内部に挿入した絵画や写真等の内容物と干渉して絵画や写真等の内容物が損傷する不具合も解消できる。
【００３０】
また、前記蓋体２により前記ホルダ本体１の開口を隠蔽した状態で前記蓋体２の貫通孔４に前記切り起こし部３を挿通可能にしているので、前記ホルダ本体１の開口を隠蔽してから前記切り起こし部３を切り起こして前記貫通孔４を通過させ、そののち紐Ｒを挿通させるという上述したような手順を採用でき、従って、このようなクリアホルダＣへの紐Ｒの挿通作業を容易にに行うことができる。
【００３１】
さらに、前記ホルダ本体１がそれぞれ樹脂により形成した表表紙部１１及び裏表紙部１２を有するとともに、これら表表紙部１１及び裏表紙部１２を熱接着しているので、表表紙部１１と裏表紙部１２との接着に接着剤を用いる必要がない。また、ホルダ本体１内部に重量物を挿入した状態で表表紙部１１と裏表紙部１２とを接着している接着剤が剥がれてしまうことが起こりえず、従ってより効果的にホルダ本体１の開口内に挿入した内容物が落下する不具合の発生を防ぐことができる。
【００３２】
加えて、１枚の樹脂製シート材Ｓを利用して全体を形成しているので、このようなクリアホルダＣの部品点数を少なくし、製造コストを抑えることができる。
【００３３】
そして、スクラップブッキングに利用可能にすべく全体を透明なものとしているので、ホルダ本体１に挿入した内容物を外部から観察させるようにし、このようなクリアホルダＣを壁掛けする態様に好適に用いることができる。
【００３４】
さらに、蓋体２の先端に設けた前記係合部２１及びホルダ本体１に設けた前記被係合部１ａを利用して蓋体２をホルダ本体１に係止する蓋体係止部を形成しているので、従来のこの種のクリアホルダに大きな設計上の変更を加えることなく実現できる。
【００３５】
なお、本実施形態は上述した実施形態に限られない。
【００３６】
例えば、蓋体に設ける貫通孔は、紐のみを挿通可能なものであってもよい。このようなものであっても、紐をホルダ本体に設けた切り起こし部の紐挿通孔に挿通させ、壁に掛けた際に紐によりホルダ本体を支持させることができる。また、切り起こし部を１つ設けた場合に、先に一方の切り起こし部の紐挿通孔に紐を表表紙部から裏表紙部に向けて挿通させ、次いで他方の切り起こし部の紐挿通孔に紐を裏表紙部から表表紙部に向けて挿通させれば、紐の大部分をホルダ本体の外側に配置できる。すなわち、上述した実施形態に係る最も重要な効果を得ることはできる。
【００３７】
また、表表紙部及び裏表紙部をそれぞれ別の樹脂製シート材を利用して形成したものであっても、これら表表紙部及び裏表紙部を熱接着すれば、上述した実施形態におけると同様に、表表紙部と裏表紙部との接着に接着剤を用いる必要がなく、また、ホルダ本体内部に重量物を挿入した状態で表表紙部と裏表紙部とを接着している接着剤が剥がれてしまうことが起こりえなくなることに伴う効果を得ることができる。
【００３８】
さらに、このクリアホルダは、その一部を樹脂以外の材料を利用して形成してもよい。例えば前記蓋体の係合部及び前記ホルダ本体の被係合部を、金属製のフックやバックル等を利用して形成する態様が考えられる。
【００３９】
そして、上方に開口する袋状のホルダ本体と、前記ホルダ本体の開口を隠蔽可能な蓋体と、前記ホルダ本体に設けられて該ホルダ本体から切り起こすことが可能であるとともに紐を挿通可能な紐挿通孔を有する切り起こし部と、前記蓋体に設けられ紐又は前記切り起こし部を挿通可能な貫通孔とを具備するものであれば、全体が透明なスクラップブッキングに利用可能な構成でなくても、紙葉類等を収納可能かつ紐を紐挿通孔に挿通させた状態で壁掛け可能な収納具として利用することができ、紐にホルダ本体を支持させることが可能であることに伴う上述した効果を得ることができる。例えば、全体が半透明であるものや、全体が着色透明であるもの、さらに、表表紙部の一部のみに開口内の紙葉類を外部から視認可能に透明窓部を設けているもの等が考えられる。
【００４０】
加えて、図８に斜視図、図９に正面図をそれぞれ示すように、蓋体２の先端に設けた係合部２１とホルダ本体１に設けた被係合部１ａとを係合させることにより蓋体２をホルダ本体１に係止し前記ホルダ本体１の開口を隠蔽可能な蓋体係止部を形成しているとともに、前記係合部２１を折り返してホルダ本体１の一部を前記係合部２１と前記蓋体２の他の部分との間で挟持可能にする態様も考えられる。なお、前記図９において紐Ｒは省略して示している。
【００４１】
この態様において、前記係合部２１は、図１０に概略的に示すように、境界線Ｌ６で正面視前記蓋体２の他の部分に重合可能に折り返し可能に構成していて、この係合部２１を前記被係合部１ａに挿入し、ホルダ本体１の前記被係合部１ａ上方の部分を前記係合部２１と前記蓋体２の他の部分との間で挟持するようにしている。
【００４２】
このように構成すれば、ホルダ本体１の前記被係合部１ａ上方の部分を前記係合部２１と前記蓋体２の他の部分との間で挟持することにより、蓋体２がホルダ本体１から離間してホルダ本体１の開口内部が露出する不具合の発生を効果的に防ぐことができる。
【００４３】
その他、本発明の趣旨を損ねない範囲で種々に変更してよい。
【図面の簡単な説明】
【００４４】
【図１】本発明の一実施形態に係るクリアホルダの使用態様を示す概略図。
【図２】同実施形態に係るクリアホルダを形成するシート材を示す図。
【図３】同実施形態に係るクリアホルダの蓋体を開放した状態を示す斜視図。
【図４】同実施形態に係るクリアホルダの蓋体を開放した状態を示す正面図。
【図５】同実施形態に係るクリアホルダの蓋体を閉止した状態を示す斜視図。
【図６】同実施形態に係るクリアホルダの蓋体を閉止した状態を示す正面図。
【図７】同実施形態に係るクリアホルダの切り起こし部を切り起こした状態を示す斜視図。
【図８】本発明の他の実施態様に係るクリアホルダを示す斜視図。
【図９】同実施態様に係るクリアホルダを示す正面図。
【図１０】同実施態様に係るクリアホルダの蓋体の係止態様を示す概略図。
【符号の説明】
【００４５】
Ｃ…クリアホルダ
１…ホルダ本体
２…蓋体
３…切り起こし部
３ａ…紐挿通孔
４…貫通孔
Ｓ…シート材
【図１】
2007008135.tif 000003
【図２】
2007008135.tif 000004
【図３】
2007008135.tif 000005
【図４】
2007008135.tif 000006
【図５】
2007008135.tif 000007
【図６】
2007008135.tif 000008
【図７】
2007008135.tif 000009
【図８】
2007008135.tif 000010
【図９】
2007008135.tif 000011
【図１０】
2007008135.tif 000012